(57)【要約】　　　（修正有）【課題】造園業，土木建設業，農林業，清掃業等において、広範囲にわたる作業現場から出る相当量の刈り取り草，切枝，廃棄物等の重量物の運搬処理を手軽に効率良く行うことができ、作業者への肉体的負担を大幅に軽減することができる運搬台車を提供することを目的とする。【解決手段】相当量の刈り取り草，切枝，廃棄物等の重量物を積載収納する箱状の収納枠Ａを有し、この箱状収納枠に前後左右４個の移動車輪６を取り付けるとともに、箱状収納枠を一方方向に折りたたみ可能となしたことを特徴とする。【選択図】　　　　図１
0003096997.tif 000002
【実用新案登録請求の範囲】
【請求項１】
相当量の刈り取り草，切枝，廃棄物等の重量物を積載収納する箱状の収納枠を有し、この収納枠に前後左右４個の移動車輪を取り付けるとともに、箱状収納枠を一方方向に折りたたみ可能となしたことを特徴とする運搬用台車。
【請求項２】
箱状収納枠を一方方向に折りたたみ可能となす手段として、底面枠板を長さ方向に沿って二分割してこの分割片相互をヒンジ等にて折りたたみ自在に接続し、底面枠板の各分割片と各側面枠板とをヒンジ等にて折りたたみ自在に接続するとともに、両側面枠板間の前面部と後面部とに案内金具を介して前面枠板と後面枠板を着脱自在に嵌合せしめたことを特徴とする請求項１記載の四輪枠型折りたたみ式運搬用台車。
【請求項３】
箱状収納枠を一方方向に折りたたみ可能となす手段として、底面枠板を長さ方向に沿って二分割してこの分割片相互をヒンジ等にて折りたたみ自在に接続し、底面枠板の各分割片と各側面枠板とをヒンジ等にて折りたたみ自在に接続するとともに、前面枠板と後面枠板を幅方向に沿って二分割し，各分割片を各側面枠板にヒンジ等にて折りたたみ自在に接続せしめたことを特徴とする請求項１記載の四輪枠型折りたたみみ式運搬用台車。
【請求項４】
バッテリーと電動モータを搭載し，４個の移動車輪を電動モータにて補助回転せしめるようになしたことを特徴とする請求項１、２又は３記載の四輪枠型折りたたみ式運搬用台車。
【請求項５】
照明灯を付設せしめたことを特徴とする請求項１、２、３、又は４記載の四輪枠型折りたたみ式運搬用台車。
【考案の詳細な説明】
【０００１】
【考案の属する技術分野】
本考案は、造園業，土木建設業，農林業，清掃業等において、広範囲にわたる相当量の刈り取り草，切枝，廃棄物等の重量物の運搬処理に用いる運搬用台車に関し、この運搬処理作業を効率良く行い作業者への負担を大幅に軽減し得る運搬用台車に係るものである。
【０００２】
【従来の技術】
一般に造園業において、広場で刈り取った大量の草や，庭園の樹木管理の際に出る大量の切枝等植木屑の廃棄処理は、これらを地面に敷いたビニールシートの上に山のように積み上げ、これを作業者が人力で引きずりながらトラック等の運搬車両まで運搬して行っており、重労働で運搬処理の作業効率が悪く，作業者に多大な肉体的負担をかけていた。　土木建設業や農林業や清掃業等の各種の作業現場から出る木屑や石屑やゴミ等の廃棄物の運搬処理においても同様で、これら廃棄物等の重量物を作業者が纏めて手軽に効率良く運搬処理できる適切な運搬用台車が無かった。　荷物を人手により運搬する台車としては、荷車やリヤカーがあるが、これらは荷台に一対の車輪を取り付けた二輪車であるため、重量物の運搬には相当な力を要し作業者に多大な負担が掛かり安定性にも欠ける。　平板状の台板に４個の小ローラーを配した台車もあるが、これは小型であるため大量の重量物の運搬には適せず、やはり作業効率が悪い。
またこれらの荷車やリヤカーや小型の台車は、荷台が平板状で箱状の収納枠構造でないため運搬処理中に荷崩れや荷こぼれのおそれがあり、大量の草や切枝等の植木屑その他の廃棄物等重量物の運搬処理には適しない。
【０００３】
【考案が解決しようとする課題】
本考案は斯かる従来の種々の廃棄物等重量物の運搬処理に伴う種々の難点を解消するために案出されたもので、造園業，土木建設業，農林業，清掃業等において、広範囲にわたる相当量の刈り取り草，切枝，種々の廃棄物等重量物の運搬処理を効率良く行い作業者への肉体的負担を大幅に軽減し、小型に折りたたみ可能で持ち運び移動や保管に場所をとらず使用上好適である言わば従来技術の諸難点を解消するお助けマンとしての機能に富む運搬用台車を提供することを目的とする。
【０００４】
【課題を解決するための手段】
前記の目的を達成するために本考案は、相当量の刈り取り草，切枝，種々の廃棄物等重量物を積載収納する箱状の収納枠を有し、この収納枠に前後左右４個の移動車輪を取り付けるとともに、箱状収納枠を一方方向に折りたたみ可能となして運搬用台車を形成したことを特徴とするものである。
【０００５】
箱状収納枠を一方方向に折りたたみ可能とする手段として、底面枠板を長手方向に沿って二分割してこの分割片相互をヒンジ等にて折りたたみ自在に接続し、底面枠板の各分割片と各側面枠板とをヒンジ等にて折りたたみ自在に接続するとともに、両側面枠板間の前面部と後面部とに案内金具を介して前面枠板と後面枠板を出入自在に嵌合せしめて行う。
【０００６】
或いは、底面枠板を長手方向に沿って二分割してこの分割片相互をヒンジ等にて折りたたみ自在に接続し、底面枠板の各分割片と各側面枠板とをヒンジ等にて折りたたみ自在に接続するとともに、前面枠板と後面枠板を幅方向に沿って二分割し，各分割片を各側面枠板にヒンジ等にて折りたたみ自在に接続して行う。
【０００７】
また重量物運搬と坂道登坂等における肉体的負担の更なる軽減を図るため、電動自転車と同様にバッテリーと電動モータを搭載し、４個の移動車輪を電動モータにて回転せしめ、運搬時の台車の人力による可動の補助をなす場合もある。
【０００８】
また薄暗いときや見通しの悪いところでの作業の安全を図るため、照明灯を付設する場合もある。
【０００９】
【考案の実施の形態】
次に別紙図面を参照して，本考案の実施の形態について説明する。　本考案に係る運搬用台車は、相当量の刈り取り草，切枝，種々の廃棄物等重量物の積載収納に適する箱状の収納枠を有し、この収納枠の前後左右に４個の移動車輪を取り付けるとともに、箱状収納枠を一方方向に折りたたみ可能となしている点に主な特徴がある。
【００１０】
Ａは上面開口の箱状収納枠で、長さ方向に沿って二分割された底面枠板１，１と、両側面枠板２，２と、前面枠板３と、後面枠板４とからなっている。　底面枠板１，１は、ヒンジにて幅方向に折りたたみ可能に接続されている。　両側面枠板２，２と底面枠板の各分割片１，１とは、同様にヒンジにて幅方向に折りたたみ可能に接続されている。　両側面枠板２，２の前面部と後面部にはコ字形断面の案内溝を有する案内金具５が夫々取り付けられており、この案内金具５を介して前面枠板３と後面枠板４とが着脱自在に嵌合して取り付けられている。
箱状収納枠Ａは、前面枠板３と後面枠板４を案内金具５から外し、図４で示す如く底面枠板の分割片１，１相互と、両側面枠板２，２と底面枠板の分割片１，１とを折りたたむことにより幅方向に縮小される。
【００１１】
前面枠板３と後面枠板４は、夫々幅方向に沿って二分割し各分割片と両側面枠板２，２とをヒンジにて折りたたみ可能に接続するようになしても良い。　また前面枠板３と後面枠板４は必ずしも常に取り付けて使用するとは限らず、いずれか一方又は双方を取り外して使用する場合もある。
【００１２】
箱状収納枠Ａの前後左右には、４個の大型移動車輪６が取り付けられている。また箱状収納枠Ａには電動自転車と同様のバッテリーと電動モータ（図示せず）を搭載しブレーキを付設しており、必要に応じて移動車輪６は電動モータにて前進後退自在に回転し坂道登坂等において人力による台車の可動の負担が軽減される。　但し，相当量の重量物を運搬する関係上移動時の安全性を考慮して電動モータによる走行運転はせず、あくまで人力による手押し又は引張で可動させる。
【００１３】
前面枠板３には把手７が装着されており、その装着は把手７の自由端部を前面枠板３に取り付けられている挿入案内金具８内に着脱自在に嵌合して行う。　また夜間等の作業もできるように、前面枠板３と後面枠板４には照明灯９が付設されている。　また収納枠Ａには、重量物の収納を整然と能率よく行うために、締め付けベルトや区画整理板を用意している。
【００１４】
材質は任意のものでよいが、例えば堅牢性，耐久性を考慮して軽量アルミ製となしており、シルバー，レッド，ブルー，イエロー等のカラフルな適宜色彩にて着色し、夜間になると光る蛍光色を施している。　路上等での作業，移動の安全性を考慮して、ミラーや存在を表示するための標識を付設する場合もある。
【００１５】
【考案の効果】
本考案は上記のとおり，相当量の刈り取り草や切枝や廃棄物などの重量物を積載収納する箱状収納枠を有し、この収納枠に前後左右４個の移動車輪を取り付けるとともに、箱状収納枠を一方方向に折りたたみ可能となして運搬用台車を形成したので、広く造園業，土木建設業，農林業，清掃業等の作業現場から大量に出る廃棄物等の相当量の重量物の運搬処理を手軽に効率良く行うことができ、作業者への肉体的負担を大幅に軽減し、上述の従来技術の有する諸難点を解消する言わばお助けマンとしての機能に富み、折りたたみ可能で持ち運び移動や保管に場所を取らず使用上好適である。　また枠型収納で４輪可動であるため、耐久性および安定性にも優れる。　また照明灯をつけた場合には、薄暗いときや見通しの悪いところでの作業を安全に行うことができ作業範囲が広がる。　更に電動モータによる移動車輪の補助的可動をなす場合においてもてもそれによる走行運転はせずあくまで人力による可動なので、路上等においても駐車違反に問われることはなく、あらゆる場所での広範な利用が期待できる。
【図面の簡単な説明】
【図１】本考案の一実施形態に係る運搬用台車の平面図である。
【図２】同上の正面図である。
【図３】同上の左側面図である。
【図４】折りたたみ時の参考側面図である。
【符号の説明】
Ａ　　　　　箱状収納枠
１，１　　　底面枠板
２，２　　　側面枠板
３　　　　　前面枠板
４　　　　　後面枠板
５　　　　　取り付け案内金具
６　　　　　移動車輪
７　　　　　把手
８　　　　　挿入案内金具
９　　　　　照明灯
【図１】
0003096997.tif 000003
【図２】
0003096997.tif 000004
【図３】
0003096997.tif 000005
【図４】
0003096997.tif 000006